(57)【特許請求の範囲】
【請求項１】
通信設備の設置環境を調査し、その調査結果に基づいて、所定の設置条件が満たされているか否かを判断する無線通信設備設置支援システムであって、
地図上における座標情報と、各位置における前記設置条件とを関連付けて記憶する設置条件記憶部と、
調査希望位置に関する情報であって、前記地図上における座標情報を含む申込情報の入力を受け付ける申込受付部と、
前記入力受付部から入力された前記申込情報に基づいて、前記設置条件記憶部を参照し、当該申込情報に関する設置条件を決定する調査内容決定部と、
前記調査希望位置における位置情報を取得する位置情報取得部と、
前記位置情報取得部が取得した位置情報と、前記申込情報に含まれる座標情報とを比較する条件比較部と、
前記条件比較部による比較結果に基づいて、前記調査内容決定部が決定した前記設置条件を変更する条件変更部と、
前記調査内容決定部が決定した前記設置条件、又は前記条件変更部が変更した設置条件を記憶保持する設置条件記憶部と、
前記調査希望位置における調査結果の入力を受け付ける調査結果取得部と、
前記調査結果取得部が取得した調査結果に基づいて、前記設置条件記憶部が記憶保持する設置条件を参照し、設置条件が満たされているか否かの判断をする判断部と
を備えることを特徴とする無線通信設備設置支援システム。
【請求項２】
前記条件比較部の比較結果に基づいて、前記位置情報取得部が取得した前記位置情報と、前記調査結果取得部が取得した調査結果とを関連付けて、記憶保持する変更情報記憶部をさらに備えることを特徴とする請求項１に記載の無線通信設備設置支援システム。
【請求項３】
前記通信設備は、電波信号の送受信を行うアンテナ基地局であり、
前記調査には、調査希望位置における電波状況が含まれ、
前記設置条件には、当該調査希望位置における地理的条件、及び隣接する既存のアンテナ基地局からの電波受信状況が含まれる
ことを特徴とする請求項１又は２に記載の無線通信設備設置支援システム。
【請求項４】
前記通信設備には、電波信号の送受信を行うアンテナ基地局、又は電波信号の強度を増幅させる増幅器が含まれ、
前記判断部は、前記調査希望位置における地理的条件、及び隣接する既存のアンテナ基地局からの電波受信状況に応じて、前記アンテナ基地局又は前記増幅器を排他的に選択し、選択された通信設備に従って、前記設置条件が満たされているか否かの判断結果を切り換える機能を備える
ことを特徴とする請求項１又は２に記載の無線通信設備設置支援システム。
【請求項５】
前記通信設備は、電波信号の送受信を行うアンテナ基地局であり、
前記調査には、調査希望位置における電波状況が含まれ、
前記設置条件には、当該調査希望位置における高度に関する条件が含まれ、
前記判断部は、前記アンテナ基地局の種別と、前記高度に関する条件とに応じて、前記設置条件が満たされているか否かの判断結果を切り換える機能を備える
ことを特徴とする請求項１又は２に記載の無線通信設備設置支援システム。
【請求項６】
通信設備の設置環境を調査し、その調査結果に基づいて、所定の設置条件が満たされているか否かを判断する無線通信設備設置支援用端末装置と、通信ネットワークを通じてデータの送受信を行う無線通信設備設置支援管理サーバーであって、
地図上における座標情報と、各位置における前記設置条件とを関連付けて記憶する設置条件記憶部と、
調査希望位置に関する情報であって、前記地図上における座標情報を含む申込情報の入力を受け付ける申込受付部と、
前記入力受付部から入力された前記申込情報に基づいて、前記設置条件記憶部を参照し、当該申込情報に関する設置条件を決定して、前記無線通信設備設置支援用端末装置に送信する調査内容決定部と、
前記調査希望位置における位置情報と、前記申込情報に含まれる座標情報とを比較した比較結果を前記無線通信設備設置支援用端末装置から受信して、当該比較結果に基づいて、前記調査内容決定部が決定した前記設置条件を変更して、前記無線通信設備設置支援用端末装置に送信する条件変更部と、
前記調査希望位置における調査結果に基づく設置条件が満たされているか否かの判断結果を前記無線通信設備設置支援用端末装置から受信して蓄積する調査結果記憶部と
を備えることを特徴とする無線通信設備設置支援管理サーバー。
【請求項７】
前記無線通信設備設置支援用端末装置による前記比較結果に基づいて、前記無線通信設備設置支援用端末装置が取得した前記位置情報と、前記調査結果記憶部が取得した調査結果とを関連付けて、記憶保持する変更情報記憶部をさらに備えることを特徴とする請求項６に記載の無線通信設備設置支援管理サーバー。
【請求項８】
前記通信設備は、電波信号の送受信を行うアンテナ基地局であり、
前記調査には、調査希望位置における電波状況が含まれ、
前記設置条件には、当該調査希望位置における地理的条件、及び隣接する既存のアンテナ基地局からの電波受信状況が含まれる
ことを特徴とする請求項６又は７に記載の無線通信設備設置支援管理サーバー。
【請求項９】
前記通信設備には、電波信号の送受信を行うアンテナ基地局、又は電波信号の強度を増幅させる増幅器が含まれ、
前記設置条件は、前記調査希望位置における地理的条件、及び隣接する既存のアンテナ基地局からの電波受信状況に応じて、前記アンテナ基地局又は前記増幅器を排他的に選択し、選択された通信設備に従って切り換えられる
ことを特徴とする請求項６又は７に記載の無線通信設備設置支援管理サーバー。
【請求項１０】
前記通信設備は、電波信号の送受信を行うアンテナ基地局であり、
前記調査には、調査希望位置における電波状況が含まれ、
前記設置条件は、当該調査希望位置における高度に関する条件が含まれ、前記アンテナ基地局の種別と、前記高度に関する条件とに応じて切り換えられる
ことを特徴とする請求項６又は７に記載の無線通信設備設置支援管理サーバー。
【請求項１１】
通信ネットワークを通じて無線通信設備設置支援管理サーバーとデータの送受信を行って、通信設備の設置環境を調査し、その調査結果に基づいて、所定の設置条件が満たされているか否かを判断する無線通信設備設置支援用端末装置であって、
調査希望位置に関する情報であって、地図上における座標情報を含む申込情報に基づいて、地図上における座標情報と、各位置における前記設置条件とを関連付けて記憶する設置条件記憶部を参照することによって決定された当該申込情報に関する設置条件を前記無線通信設備設置支援管理サーバーから受信して記憶保持する設置条件記憶部と、
調査希望位置における位置情報を取得する位置情報取得部と、
前記位置情報取得部が取得した位置情報と、前記申込情報に含まれる座標情報とを比較して、当該比較結果を前記無線通信設備設置支援管理サーバーに送信する条件比較部と、
前記条件比較部による比較結果に基づいて変更された設置条件を前記無線通信設備設置支援管理サーバーから受信する通信インターフェースと、
前記調査希望位置における調査結果の入力を受け付ける調査結果取得部と、
前記調査結果取得部が取得した調査結果に基づいて、前記設置条件記憶部が記憶保持する設置条件、又は前記条件比較部による比較結果に基づいて変更された設置条件を参照し、設置条件が満たされているか否かの判断を行い、当該判断結果を前記無線通信設備設置支援管理サーバーに送信する判断部と
を備えることを特徴とする無線通信設備設置支援用端末装置。
【請求項１２】
前記条件比較部の比較結果に基づいて、前記位置情報取得部が取得した前記位置情報と、前記調査結果取得部が取得した調査結果とを関連付けて、記憶保持する変更情報記憶部をさらに備えることを特徴とする請求項１１記載の無線通信設備設置支援用端末装置。
【請求項１３】
前記通信設備は、電波信号の送受信を行うアンテナ基地局であり、
前記調査には、調査希望位置における電波状況が含まれ、
前記設置条件には、当該調査希望位置における地理的条件、及び隣接する既存のアンテナ基地局からの電波受信状況が含まれる
ことを特徴とする請求項１１又は１２に記載の無線通信設備設置支援用端末装置。
【請求項１４】
前記通信設備には、電波信号の送受信を行うアンテナ基地局、又は電波信号の強度を増幅させる増幅器が含まれ、
前記判断部は、前記調査希望位置における地理的条件、及び隣接する既存のアンテナ基地局からの電波受信状況に応じて、前記アンテナ基地局又は前記増幅器を排他的に選択し、選択された通信設備に従って、前記設置条件が満たされているか否かの判断結果を切り換える機能を備える
ことを特徴とする請求項１１又は１２に記載の無線通信設備設置支援用端末装置。
【請求項１５】
前記通信設備は、電波信号の送受信を行うアンテナ基地局であり、
前記調査には、調査希望位置における電波状況が含まれ、
前記設置条件には、当該調査希望位置における高度に関する条件が含まれ、
前記判断部は、前記アンテナ基地局の種別と、前記高度に関する条件とに応じて、前記設置条件が満たされているか否かの判断結果を切り換える機能を備える
ことを特徴とする請求項１１又は１２に記載の無線通信設備設置支援用端末装置。
【請求項１６】
通信ネットワーク上に接続された無線通信設備設置支援用端末によって、無線通信設備の設置環境を調査し、その調査結果に基づいて、所定の設置条件が満たされているか否かを判断する無線通信設備設置支援方法であって、
通信ネットワーク上に接続された無線通信設備設置支援管理サーバーにおいて、地図上における座標情報と、各位置における前記設置条件とを関連付けて記憶する設置条件記憶ステップと、
前記無線通信設備設置支援管理サーバーにおいて、調査希望位置に関する情報であって、前記地図上における座標情報を含む申込情報の入力を受け付ける申込受付ステップと、
前記無線通信設備設置支援管理サーバーにおいて、前記入力受付ステップで入力された前記申込情報に基づいて、前記設置条件を参照し、当該申込情報に関する設置条件を決定して、前記無線通信設備設置支援用端末に送信する調査内容決定ステップと、
前記無線通信設備設置支援用端末において、前記調査希望位置における位置情報を取得する位置情報取得ステップと、
前記無線通信設備設置支援用端末において、前記位置情報取得ステップで取得した位置情報と、前記申込情報に含まれる座標情報とを比較して、当該比較結果を前記無線通信設備設置支援管理サーバーに送信する条件比較ステップと、
前記無線通信設備設置支援管理サーバーにおいて、前記条件比較ステップによる比較結果に基づいて、前記調査内容決定ステップにおいて決定した前記設置条件を変更して、前記無線通信設備設置支援用端末に送信する条件変更ステップと、
前記無線通信設備設置支援用端末において、前記調査内容決定ステップで決定した前記設置条件、又は前記条件変更ステップで変更された設置条件を記憶保持する設置条件記憶ステップと、
前記無線通信設備設置支援用端末において、前記調査希望位置における調査結果の入力を受け付ける調査結果取得ステップと、
前記無線通信設備設置支援用端末において、前記調査結果取得ステップで取得した調査結果に基づいて、前記設置条件記憶部が記憶保持する設置条件を参照し、設置条件が満たされているか否かの判断を行い、当該判断結果を前記無線通信設備設置支援管理サーバーに送信する判断ステップと
を有することを特徴とする無線通信設備設置支援方法。
【請求項１７】
前記無線通信設備設置支援サーバーにおいて、前記条件比較ステップの比較結果に基づいて、前記位置情報取得ステップで取得した前記位置情報と、前記調査結果取得ステップで取得した調査結果とを関連付けて、記憶保持する変更情報記憶ステップをさらに有することを特徴とする請求項１６に記載の無線通信設備設置支援方法。
【請求項１８】
前記通信設備は、電波信号の送受信を行うアンテナ基地局であり、
前記調査には、調査希望位置における電波状況が含まれ、
前記設置条件には、当該調査希望位置における地理的条件、及び隣接する既存のアンテナ基地局からの電波受信状況が含まれる
ことを特徴とする請求項１６又は１７に記載の無線通信設備設置支援方法。
【請求項１９】
前記通信設備には、電波信号の送受信を行うアンテナ基地局、又は電波信号の強度を増幅させる増幅器が含まれ、
前記判断ステップにおいて、前記設置条件は、前記調査希望位置における地理的条件、及び隣接する既存のアンテナ基地局からの電波受信状況に応じて、前記アンテナ基地局又は前記増幅器を排他的に選択し、選択された通信設備に従って切り換えられる
ことを特徴とする請求項１６又は１７に記載の無線通信設備設置支援方法。
【請求項２０】
前記通信設備は、電波信号の送受信を行うアンテナ基地局であり、
前記調査には、調査希望位置における電波状況が含まれ、
前記設置条件には、当該調査希望位置における高度に関する条件が含まれ、
前記判断ステップでは、前記アンテナ基地局の種別と、前記高度に関する条件とに応じて切り換えられる
ことを特徴とする請求項１６又は１７に記載の無線通信設備設置支援方法。
【請求項２１】
通信ネットワーク上に接続された無線通信設備設置支援管理サーバーとデータの送受信を行う無線通信設備設置支援用端末によって、通信設備の設置環境を調査し、その調査結果に基づいて、所定の設置条件が満たされているか否かを判断する無線通信設備設置支援プログラムであって、
前記無線通信設備設置支援用端末に、
調査希望位置に関する情報であって、地図上における座標情報を含む申込情報に基づいて、地図上における座標情報と、各位置における前記設置条件とを関連付けて記憶する設置条件記憶部を参照することによって決定された当該申込情報に関する設置条件を前記無線通信設備設置支援管理サーバーから受信して記憶保持する設置条件記憶ステップと、
前記調査希望位置における位置情報を取得する位置情報取得ステップと、
前記位置情報取得ステップで取得した位置情報と、前記申込情報に含まれる座標情報とを比較して、当該比較結果を前記無線通信設備設置支援管理サーバーに送信する条件比較ステップと、
前記条件比較ステップによる比較結果に基づいて、変更された設置条件を前記無線通信設備設置支援管理サーバーから受信する通信ステップと、
前記設置条件記憶ステップで記憶保持した前記設置条件、又は前記条件比較ステップによる比較結果に基づいて変更された設置条件を記憶保持する設置条件記憶ステップと、
前記調査希望位置における調査結果の入力を受け付ける調査結果取得ステップと、
前記調査結果取得ステップで取得した調査結果に基づいて、前記設置条件記憶部が記憶保持する設置条件を参照し、設置条件が満たされているか否かの判断を行い、当該判断結果を前記無線通信設備設置支援管理サーバーに送信する判断ステップと
を有する処理を実行させることを特徴とする無線通信設備設置支援プログラム。
【請求項２２】
前記条件比較ステップの比較結果に基づいて、前記位置情報取得ステップで取得した前記位置情報と、前記調査結果取得ステップで取得した調査結果とを関連付けて、記憶保持する変更情報記憶ステップをさらに有することを特徴とする請求項２１に記載の無線通信設備設置支援プログラム。
【請求項２３】
前記通信設備は、電波信号の送受信を行うアンテナ基地局であり、
前記調査には、調査希望位置における電波状況が含まれ、
前記設置条件には、当該調査希望位置における地理的条件、及び隣接する既存のアンテナ基地局からの電波受信状況が含まれる
ことを特徴とする請求項２１又は２２に記載の無線通信設備設置支援プログラム。
【請求項２４】
前記通信設備には、電波信号の送受信を行うアンテナ基地局、又は電波信号の強度を増幅させる増幅器が含まれ、
前記判断ステップにおいて、前記設置条件は、前記調査希望位置における地理的条件、及び隣接する既存のアンテナ基地局からの電波受信状況に応じて、前記アンテナ基地局又は前記増幅器を排他的に選択し、選択された通信設備に従って切り換えられる
ことを特徴とする請求項２１又は２２に記載の無線通信設備設置支援プログラム。
【請求項２５】
前記通信設備は、電波信号の送受信を行うアンテナ基地局であり、
前記調査には、調査希望位置における電波状況が含まれ、
前記設置条件には、当該調査希望位置における高度に関する条件が含まれ、
前記判断ステップでは、前記アンテナ基地局の種別と、前記高度に関する条件とに応じて切り換えられる
ことを特徴とする請求項２１又は２２に記載の無線通信設備設置支援プログラム。
【発明の詳細な説明】
【技術分野】
【０００１】
本発明は、フェムト（Ｆｅｍｔｏ）等の小型無線基地局（フェムト基地局）及びホームリピータ等の小型無線中継装置等（小型リピータ）の無線通信設備を現地にて設置するにあたり、申込者情報、現地の設置場所、無線通信環境を含む設置環境等、ブロードバンド回線提供可否情報に基づいて、どの無線通信設備を設置すべきか、又はいずれかの無線通信設備が設置可能か、所定の設置条件から判断する無線通信設備設置支援システム、設置支援サーバー、設置支援用端末、設置支援用ソフトウェア、設置支援方法に関する。
【背景技術】
【０００２】
従来、無線通信（例えば、セルラ通信）のためのインフラストラクチャとして多数の無線基地局が設置されている。これら無線基地局は、一般的には、マクロセルと呼ばれる、半径数百ｍ〜十数ｋｍの比較的広い通信エリアを提供している。ところで、電波の性質上、マクロセル内であっても、隣接マクロセルとの境界付近、屋内、地下など、地理的、物理的に不利な環境においては、電波強度が低くなり通信品質が低下する場所が生じる。
【０００３】
このような場所においては、従来より、ホームリピータと呼ばれるマクロセル無線基地局からの電波強度の弱い電波を受信して、増幅のうえ屋内に無線出力して携帯端末で受信可能とし、逆に、携帯端末からの電波を受信すると、これを増幅して屋外に無線出力することにより、マクロセルの無線基地局が受信可能とする小型リピータや、フェムトセルと呼ばれる、半径数十ｍ程度の比較的狭い通信エリアを提供する小型のフェムト基地局を設置する方法等により、補完している。この小型リピータやフェムト基地局は、一般的に家庭内や小規模オフィスに設置される（例えば、特許文献１）。
【０００４】
特許文献１に係る通信システムでは、光通信の加入者宅内にフェムト基地局を設置し、加入者宅内で使用される携帯電話は、宅内のフェムト基地局を通じて収容局に接続され、収容局からＩＰ網、一般電話交換網、又は移動通信交換網等の各種ネットワークに接続される。
【０００５】
ところで、フェムト基地局を設置する場合、他のフェムト基地局、又はマクロセルからの電波と干渉が発生しないように、近隣の基地局との関係を考慮する必要がある。そのため、サービス運用側は、申込者からフェムト基地局等の無線通信設備の設置の申し込みを受けた場合には、現地に赴いてフェムト基地局が設置可能な環境か否かを調査し、この設置環境を確認した後にフェムト基地局を設置している。
【先行技術文献】
【特許文献】
【０００６】
【特許文献１】特開２００４−１５１０３号公報
【発明の概要】
【発明が解決しようとする課題】
【０００７】
しかしながら、フェムト基地局を設置できる条件は、近隣の電波受信状況の他に、ブロードバンド回線の可否や、既設の小型リピータとの重複設置のないことや、基地局の設置が制限されている場所（例えば、医療機関）の有無など様々な条件があるが、申込情報と実際の現地で確認した条件が異なる場合があること、特に申込みでの希望設置位置と実際に現地で確認した設置位置の情報が異なることは、近隣のマクロセル等との電波干渉の問題から、前記設置位置の情報を正しい位置に修正することが大変重要となってくる。またブロードバンド回線の用意ができない場合などで、マクロセル基地局の方向、無線通信設備を設置する高度など、所定の要件を満たす場合には、小型リピータの設置の方が最適な場合がある。しかし、現地調査にて、そのような選択及び設置ができていなかった。そのため、フェムト基地局の設置のため、現場に赴いても、申込情報の不備、申込情報との現場の条件との相違による条件不備等により調査当日に設置ができず、改めて現場に出向くこととなってしまい、二度手間が発生することも多く、作業員の作業が増大して、煩雑となるとともに、申込受付から基地局設置までの期間が長期化し、基地局設置のコスト全体が増大するという問題があった。
【０００８】
そこで、本発明は、上記のような問題を解決するものであり、小型リピータ及びフェムト基地局等の無線通信設備の設置環境を現地で調査し、申込者からの提供情報との相違、特に無線干渉において重要な情報となる設置場所情報を修正のうえ、その調査結果に基づいて、所定の設置条件が満たされているか否か、どの無線通信設備を設置するのが最適かを判断し設置するための作業を支援し、さらに設置作業の際に、申込者による本申込も可能とする機能も有して、１回の現場での設置作業にて利用可能とし申込手続きも完了させる無線設備設置支援システム、設置支援サーバー、設置支援端末、設置支援ソフトウェア、設置支援方法を目的とする。
【課題を解決するための手段】
【０００９】
上記課題を解決するために、本発明は、通信設備の設置環境を調査し、その調査結果に基づいて、所定の設置条件が満たされているか否かを判断する無線設備設置支援システムである。具体的には、
（１）地図上における座標情報と、各位置における設置条件とを関連付けて記憶する設置条件記憶部と、
（２）調査希望位置に関する情報であって、地図上における座標情報を含む申込情報の入力を受け付ける申込受付部と、
（３）入力受付部から入力された申込情報に基づいて、設置条件記憶部を参照し、当該申込情報に関する設置条件を決定する調査内容決定部と、
（４）調査希望位置における位置情報を取得する位置情報取得部と、
（５）位置情報取得部が取得した位置情報と、申込情報に含まれる座標情報とを比較する条件比較部と、
（６）条件比較部による比較結果に基づいて、調査内容決定部が決定した設置条件を変更する条件変更部と、
（７）調査内容決定部が決定した設置条件、又は条件変更部が変更した設置条件を記憶保持する設置条件記憶部と、
（８）調査希望位置における調査結果の入力を受け付ける調査結果取得部と、
（９）調査結果取得部が取得した調査結果に基づいて、設置条件記憶部が記憶保持する設置条件を参照し、設置条件が満たされているか否かの判断をする判断部と
を備えることを特徴とする。
【００１０】
また、他の発明は、通信ネットワーク上に接続された無線通信設備設置支援用端末によって、通信設備の設置環境を調査し、その調査結果に基づいて、所定の設置条件が満たされているか否かを判断する無線設備設置支援方法であり、具体的には、
（１）通信ネットワーク上に接続された設置支援サーバーにおいて、地図上における座標情報と、各位置における設置条件とを関連付けて記憶する設置条件記憶ステップと、
（２）設置支援サーバーにおいて、調査希望位置に関する情報であって、地図上における座標情報を含む申込情報の入力を受け付ける申込受付ステップと、
（３）設置支援サーバーにおいて、入力受付ステップで入力された申込情報に基づいて、設置条件を参照し、当該申込情報に関する設置条件を決定して、無線通信設備設置支援用端末に送信する調査内容決定ステップと、
（４）設置支援用端末において、調査希望位置における位置情報を取得する位置情報取得ステップと、
（５）設置支援用端末において、位置情報取得ステップで取得した位置情報と、申込情報に含まれる座標情報とを比較して、当該比較結果を無線通信設備設置支援管理サーバーに送信する条件比較ステップと、
（６）設置支援サーバーにおいて、条件変更ステップによる比較結果に基づいて、調査内容決定ステップにおいて決定した設置条件を変更して、無線通信設備設置支援用端末に送信する条件変更ステップと、
（７）設置支援用端末において、調査内容決定ステップで決定した設置条件、又は条件変更ステップで変更された設置条件を記憶保持する設置条件記憶ステップと、
（８）設置支援用端末において、調査希望位置における調査結果の入力を受け付ける調査結果取得ステップと、
（９）設置支援端末において、調査結果取得ステップで取得した調査結果に基づいて、設置条件記憶部が記憶保持する設置条件を参照し、設置条件が満たされているか否かの判断を行い、当該判断結果を無線通信設備設置支援管理サーバーに送信する判断ステップと
を有することを特徴とする。
【００１１】
ここで、無線通信設備とは、電波信号の送受信を行うフェムト基地局とマクロセルと携帯端末間の電波信号を双方向に増幅中継する小型リピータであり、調査には、調査希望位置における電波状況が含まれ、設置条件には、当該調査希望位置における地理的条件（位置、高度を含む）、及び隣接又は近傍の既存のマクロセルからの電波受信状況、設置場所、電源、ブロードバンド回線利用可否等が含まれる。
【００１２】
これらのような本発明によれば、設置条件を記憶しておき、調査希望位置における調査結果の入力を受け付けることで、調査結果に基づいて、設置条件記憶部が記憶保持する設置条件を参照し、設置条件が満たされているか否かの判断をするようになっているので、設置可否の判断が現場で即時に行うことができ、調査及び設置業務の効率を向上させることができる。
【００１３】
特に、本発明によれば、先ず、申込情報に基づいて、設置条件を参照し、当該申込情報に関する設置条件を決定する。そして、調査現場に着いたら、位置情報を取得し、位置情報と申込情報に含まれる座標情報とを比較し、比較結果に基づいて、決定した設置条件を変更するようになっている。これにより、例えば、申込された住所の位置と、地図上の座標位置とに相違が生じていても、即座に設置条件を変更することができるので、そのまま、設置調査、設置工事を続行することができ、加えて本申込及び開通作業により、即時で利用可能とすることができ、設置作業効率を向上させることができる。
【００１４】
上記発明において、条件比較部の比較結果に基づいて、位置情報取得部が取得した位置情報と、調査結果取得部が取得した調査結果とを関連付けて、記憶保持する変更情報記憶部をさらに備えることが好ましい。この場合には、調査する際に取得する実際の位置情報と調査結果とを関連付けて記憶するので、基地局の設置状況が一元化されて、より正確な電波状況を把握することができる。
【００１５】
上記発明において、通信設備には、電波信号の送受信を行うアンテナ基地局、又は電波信号の強度を増幅させる増幅器が含まれ、判断部は、調査希望位置における地理的条件、及び隣接する既存のアンテナ基地局からの電波受信状況に応じて、アンテナ基地局又は増幅器を排他的に選択し、選択された通信設備に従って、設置条件が満たされているか否かの判断結果を切り換える機能を備えることが好ましい。
【００１６】
この場合には、地理的条件、及び既存のアンテナ基地局からの電波受信状況に応じて、アンテナ基地局又は増幅器を排他的に選択するので、例えば、調査希望位置に隣接する既存のアンテナ基地局によって、屋外までは電波が届いているが、室内は電波受信状況が弱い場合には、フェムト基地局の設置に代えて、増幅器のみ設置可能と排他的に切り換えることができる。これにより、小型リピータとフェムト基地局の重複設置を未然に防ぎ、良好な通信環境を提供することができる。
【００１７】
また、上記発明において、通信設備は、電波信号の送受信を行うアンテナ基地局であり、調査には、調査希望位置における電波状況が含まれ、設置条件には、調査希望位置における高度に関する条件が含まれ、判断部は、アンテナ基地局の種別と、高度に関する条件とに応じて、設置条件が満たされているか否かの判断結果を切り換える機能を備えることが好ましい。
【００１８】
この場合には、判断部は、アンテナ基地局の種別と、高度に関する条件とに応じて、設置条件が満たされているか否かの判断結果を切り換えるので、設置場所の高度によって変化するアンテナ基地局の通信エリアについても考慮して、設置可否を現場にて即時に判断できるため、設置調査及び設置作業の効率を向上させることができる。
【００１９】
上記無線通信設備設置支援報告システム及び無線通信設備設置支援方法は、以下のような、本発明に係る無線通信設備設置支援管理サーバー及び無線通信設備設置支援用端末装置を用いてシステムを構築し運用することで、実施することができる。
【００２０】
すなわち、本発明は、通信設備の設置環境を調査し、その調査結果に基づいて、所定の設置条件が満たされているか否かを判断する無線通信設備設置支援用端末装置と、通信ネットワークを通じてデータの送受信を行う無線通信設備設置支援管理サーバーであって、  地図上における座標情報と、各位置における設置条件とを関連付けて記憶する設置条件記憶部と、調査希望位置に関する情報であって、地図上における座標情報を含む申込情報の入力を受け付ける申込受付部と、入力受付部から入力された申込情報に基づいて、設置条件記憶部を参照し、当該申込情報に関する設置条件を決定して、無線通信設備設置支援用端末装置に送信する調査内容決定部と、調査希望位置における位置情報と、申込情報に含まれる座標情報とを比較した比較結果を無線通信設備設置支援用端末装置から受信して、当該比較結果に基づいて、調査内容決定部が決定した設置条件を変更して、無線通信設備設置支援用端末装置に送信する条件変更部と、調査希望位置における調査結果に基づく設置条件が満たされているか否かの判断結果を無線通信設備設置支援用端末装置から受信して蓄積する調査結果記憶部とを備えることを特徴とする。
【００２１】
また、他の発明は、通信ネットワークを通じて無線通信設備設置支援管理サーバーとデータの送受信を行って、通信設備の設置環境を調査し、その調査結果に基づいて、所定の設置条件が満たされているか否かを判断する無線通信設備設置支援用端末装置であって、調査希望位置に関する情報であって、地図上における座標情報を含む申込情報に基づいて、地図上における座標情報と、各位置における設置条件とを関連付けて記憶する設置条件記憶部を参照することによって決定された当該申込情報に関する設置条件を無線通信設備設置支援管理サーバーから受信して記憶保持する設置条件記憶部と、調査希望位置における位置情報を取得する位置情報取得部と、位置情報取得部が取得した位置情報と、申込情報に含まれる座標情報とを比較して、当該比較結果を無線通信設備設置支援管理サーバーに送信する条件比較部と、条件比較部による比較結果に基づいて変更された設置条件を無線通信設備設置支援管理サーバーから受信する通信インターフェースと、調査希望位置における調査結果の入力を受け付ける調査結果取得部と、調査結果取得部が取得した調査結果に基づいて、設置条件記憶部が記憶保持する設置条件、又は条件比較部による比較結果に基づいて変更された設置条件を参照し、設置条件が満たされているか否かの判断を行い、当該判断結果を無線通信設備設置支援管理サーバーに送信する判断部と
を備えることを特徴とする。
【００２２】
このような無線通信設備設置支援管理サーバー及び無線通信設備設置支援用端末装置によれば、無線通信設備設置支援用端末装置を携帯して現地に赴き、この無線通信設備設置支援用端末装置によって現地における調査、及びその報告を行うことができ、調査及び設置業務における機動性を向上させることができるとともに、各調査及び設置業務を無線通信設備設置支援管理サーバーに集約することにより、情報の一元化を図ることができる。
【００２３】
なお、上述した無線通信設備設置支援システム、無線通信設備設置支援方法及び無線通信設備設置支援端末装置は、本発明の無線通信設備設置支援プログラムをコンピューター上で実行することにより実現することができる。
【００２４】
すなわち、本発明は、通信ネットワーク上に接続された無線通信設備設置支援管理サーバーとデータの送受信を行う無線通信設備設置支援用端末によって、通信設備の設置環境を調査し、その調査結果に基づいて、所定の設置条件が満たされているか否かを判断する無線通信設備設置支援プログラムであって、
前記無線通信設備設置支援用端末に、
（１）調査希望位置に関する情報であって、地図上における座標情報を含む申込情報に基づいて、地図上における座標情報と、各位置における前記設置条件とを関連付けて記憶する設置条件記憶部を参照することによって決定された当該申込情報に関する設置条件を前記無線通信設備設置支援管理サーバーから受信して記憶保持する設置条件記憶ステップと、
（２）前記調査希望位置における位置情報を取得する位置情報取得ステップと、
（３）前記位置情報取得ステップで取得した位置情報と、前記申込情報に含まれる座標情報とを比較して、当該比較結果を前記無線通信設備設置支援管理サーバーに送信する条件比較ステップと、
（４）前記条件比較ステップによる比較結果に基づいて、変更された設置条件を前記無線通信設備設置支援管理サーバーから受信する通信ステップと、
（５）  前記設置条件記憶ステップで記憶保持した前記設置条件、又は前記条件比較ステップによる比較結果に基づいて変更された設置条件を記憶保持する設置条件記憶ステップと、
（６）前記調査希望位置における調査結果の入力を受け付ける調査結果取得ステップと、
（７）前記調査結果取得ステップで取得した調査結果に基づいて、前記設置条件記憶部が記憶保持する設置条件を参照し、設置条件が満たされているか否かの判断を行い、当該判断結果を前記無線通信設備設置支援管理サーバーに送信する判断ステップと
を有する処理を実行させる。
【００２５】
なお、上記発明では、前記条件比較ステップの比較結果に基づいて、前記位置情報取得ステップで取得した前記位置情報と、前記調査結果取得ステップで取得した調査結果とを関連付けて、記憶保持する変更情報記憶ステップをさらに有することが好ましい。
【００２６】
また、上記発明において前記通信設備は、電波信号の送受信を行うアンテナ基地局であり、前記調査には、調査希望位置における電波状況が含まれ、前記設置条件には、当該調査希望位置における地理的条件、及び隣接する既存のアンテナ基地局からの電波受信状況が含まれることが好ましい。
【００２７】
さらに、上記発明では、前記通信設備には、電波信号の送受信を行うアンテナ基地局、又は電波信号の強度を増幅させる増幅器が含まれ、前記判断ステップにおいて、前記設置条件は、前記調査希望位置における地理的条件、及び隣接する既存のアンテナ基地局からの電波受信状況に応じて、前記アンテナ基地局又は前記増幅器を排他的に選択し、選択された通信設備に従って切り換えられることが好ましい。
【００２８】
また、上記発明において、前記通信設備は、電波信号の送受信を行うアンテナ基地局であり、前記調査には、調査希望位置における電波状況が含まれ、前記設置条件には、当該調査希望位置における高度に関する条件が含まれ、前記判断ステップでは、前記アンテナ基地局の種別と、前記高度に関する条件とに応じて切り換えられることが好ましい。
【００２９】
上記本発明の無線通信設備設置支援プログラムを、ユーザー端末やＷｅｂサーバー等のコンピューターやＩＣチップにインストールし、ＣＰＵ上で実行することにより、上述した効果を奏する無線通信設備設置支援システムや無線通信設備設置支援用端末装置を容易に構築することができる。このプログラムは、例えば、通信回線を通じて配布することが可能であり、またスタンドアローンの計算機上で動作するパッケージアプリケーションとして譲渡することができる。
【００３０】
そして、このような本発明の無線通信設備設置支援プログラムは、モバイルコンピューターやスマートフォン、タブレットＰＣ等の汎用コンピューターで読み取り可能な記録媒体に記録することができ、このプログラムを記録したコンピューター読み取り可能な記録媒体によれば、汎用のコンピューターや専用コンピューターを用いて、上述した無線通信設備設置支援システムや無線通信設備設置支援方法を実施することが可能となるとともに、プログラムの保存、運搬及びインストールを容易に行うことができる。
【発明の効果】
【００３１】
以上述べたように、この発明によれば、基地局等の通信設備の設置に際し、設置希望場所における現地調査や条件の検討を機動的に且つ迅速に実施することができるとともに、基地局設置に関する情報を一元化して、調査業務、設置工事の効率を向上させ、基地局を設置するためのコストを低減し、設置スピードを高めることができる。
【００３２】
また、本発明には、無線通信設備の設置の可否及び選択の判定のみならず、設置工事に伴う設置登録、申込者の本申込に対する電子署名機能など、利用可能とするまでの作業・手続きを行う機能も合わせて有している。一回の現地作業にて、現地の環境等の状況に応じた最適な無線設備の選択を可能とし、小型リピータとフェムト基地局の重複設置を未然に防ぎ、万が一、所定の設置条件を全て満たさない申込者であった場合には利用ができない機器を不用意に設置してしまうことも防ぐことができる。加えて、設置登録から利用可能とするまでの作業及び手続きを現場にてできるため、申込者を無駄に待たせすることをなくして満足度を向上させ、無線設備の申込から利用までの期間を短縮でき、作業効率を向上させる点でも効果がある。
【００３３】
なお、設置場所、設置時期、設置機器、申込者情報は、一元的にネットワーク側のデータベースに記録され、他のマクロセル情報等と併せて管理される。特に設置位置情報の正確性や精度の高さを維持することは、電波干渉を防ぐため、技術的な面においても、電波監理制度遵守の面においても大変重要なことである。また、前記設置位置情報は、電波状況の改善するための基礎データとして活用ができる。加えて新たなマクロセルの開通、新たな周波数帯での開通により電波状況が改善した場合に、前記無線基地局の撤去計画の立案、撤去後における状況変化の把握や、電波伝搬シミュレーション等による机上検討のための基礎データとしても加えていられるため、重要な情報である。
【図面の簡単な説明】
【００３４】
【図１】実施形態に係る無線通信設備設置支援システムの全体構成を示す概念図である。
【図２】実施形態に係る無線通信設備設置支援管理サーバー２及びデータベース群２ａの内部構成を示すブロック図である。
【図３】実施形態に係る無線通信設備設置支援用端末の内部構成を示すブロック図である。
【図４】実施形態に係る無線通信設備設置支援方法の概要を示すフローチャート図である。
【図５】実施形態に係る設置環境の調査処理を示すフローチャート図である。
【図６】実施形態に係る無線通信設備設置支援用端末の到着画面を示す説明図である。
【図７】実施形態に係る無線通信設備設置支援用端末の表示画面を示す説明図であり、（ａ）は、現地到着画面に関連付けられたマップ表示であり、（ｂ）は、その拡大図である。
【図８】実施形態に係る無線通信設備設置支援用端末の表示画面を示す説明図であり、（ａ）は、本人確認、及び住所確認の画面であり、（ｂ）は、確認用書類を撮影するフレーム画面である。
【図９】実施形態に係る無線通信設備設置支援用端末の表示画面（内容登録・修正画面）を示す説明図である。
【図１０】実施形態に係る無線通信設備設置支援用端末の表示画面（その他の設置環境に関する入力画面）を示す説明図である。
【図１１】実施形態に係る無線通信設備設置支援用端末の表示画面（電波測定結果入力画面）を示す説明図である。
【図１２】実施形態に係る無線通信設備設置支援用端末の表示画面（調査結果報告）を示す説明図である。
【図１３】実施形態に係る無線通信設備設置支援用端末の表示画面を示す説明図であり、（ａ）は、フェムト基地局のシリアルナンバーを読み取らせる画面であり、（ｂ）は、機器構成図を入力するための画面である。
【発明を実施するための形態】
【００３５】
（無線通信設備設置支援システムの全体構成）
以下に添付図面を参照して、本発明に係る無線通信設備設置支援システムの実施形態を詳細に説明する。図１は、本実施形態に係る無線通信設備設置支援システムの全体構成を示す概念図である。なお、本実施形態では、マクロセルＡ１の境界である特定エリアＡ２で通信しづらい場所が生じ、その特定エリアＡ２を対して、フェムト基地局等の無線通信設備の設置の申込を受けた場合を例に説明する。
【００３６】
図１に示すように、本実施形態に係る無線通信設備設置支援システムは、通信設備の設置環境を調査し、その調査結果に基づいて、所定の設置条件が満たされているか否かを判断して、無線通信設備の設置を支援するシステムであって、調査希望位置である特定エリアＡ１の電波状況等の調査を行う作業員が使用する無線通信設備設置支援用端末１と、通信ネットワーク５に接続された無線基地局４と、無線通信設備設置支援管理サーバー２とを備えている。通信ネットワーク５は、通信プロトコルＴＣＰ／ＩＰを用いたＩＰ網であって、種々の通信回線（電話回線やＩＳＤＮ回線、ＡＤＳＬ回線、光回線などの公衆回線、専用回線、無線通信網）を相互に接続して構築される分散型の通信ネットワークである。このＩＰ網には、１０ＢＡＳＥ−Ｔや１００ＢＡＳＥ−ＴＸ等によるイントラネット（企業内ネットワーク）や家庭内ネットワークなどのＬＡＮなども含まれる。
【００３７】
無線通信設備設置支援用端末１は、無線通信を利用した、携帯可能な情報処理装置であり、基地局等の中継点と携帯端末が無線で通信し、通話やデータ通信等の通信サービスを移動しつつ受けることができる。この携帯端末の通信方式としては、例えば、ＣＤＭＡ方式、ＬＴＥ方式、無線ＬＡＮ等が挙げられる。また、この携帯端末は、デジタルカメラ機能、アプリケーションソフトの実行機能、或いはＧＰＳ機能等の機能が搭載され、携帯情報端末（ＰＤＡ）としての機能も果たす。
【００３８】
端末装置３は、フェムト基地局の設置を希望する申込者が所有するパーソナルコンピュータ等の情報処理端末であり、光ファイバーやＡＤＳＬなどの公衆回線網やＩＰ網等の通信ネットワーク５を通じて、ネットワーク上に接続されている。そして、この端末装置３上で実行されるブラウザソフトによって申込情報が入力され、無線通信設備設置支援管理サーバー２に送出される。なお、希望する申込者は、電話等により無線通信設備設置支援管理サーバー２を運用するサービス提供側に申し込みを行ってもよい。
【００３９】
無線基地局４は、電波信号の送受信を行うアンテナ基地局であり、図示しない中継装置を通じて通信ネットワーク５に接続され、無線通信設備設置支援用端末１との間で無線通信接続を確立し、無線通信設備設置支援用端末１による通話やデータ通信を提供する装置である。本実施形態において、この無線基地局４は、マクロセルＡ１と呼ばれる、半径数百ｍ〜十数ｋｍの比較的広い通信エリアを提供している。中継装置は、通信ネットワーク５に接続するためのモデムやターミナルアダプタ、ゲートウェイ装置等のノード装置であり、通信経路の選択や、データ（信号）の相互変換を行い、無線基地局４と、通信ネットワーク５との間における中継処理を行う。
【００４０】
特定エリアＡ２に設置される通信設備には、半径十数ｍ〜の比較的狭い通信エリアを提供するフェムト（Ｆｅｍｔｏ）等の小型無線基地局（フェムト基地局）、フェムトよりさらに狭い通信エリアを提供するホームアンテナなどの、電波信号の送受信を行うアンテナ基地局が含まれる。また、電波信号の強度を増幅させる増幅器であるホームリピータ等の小型無線中継装置等（小型リピータ）についても含まれる。
【００４１】
無線通信設備設置支援管理サーバー２は、通信ネットワーク５上に配置され、ユーザーに対するサービスや、作業員に対する調査状況を管理するサーバー装置であり、この無線通信設備設置支援管理サーバー２において、申込者から特定エリアＡ２に対するフェムト基地局設置の申し込みを受け付け、無線通信設備設置支援１に対して設置環境の調査申込を実行する。
【００４２】
この無線通信設備設置支援管理サーバー２は、ＷＷＷ（Ｗｏｒｌｄ  Ｗｉｄｅ  Ｗｅｂ）等のドキュメントシステムにおいて、ＨＴＭＬ（Ｈｙｐｅｒ  Ｔｅｘｔ  Ｍａｒｋｕｐ  Ｌａｎｇｕａｇｅ）ファイルや画像ファイル、音楽ファイルなどの情報送信を行うサーバーコンピューター或いはその機能を持ったソフトウェアであり、ＨＴＭＬ文書や画像などの情報を蓄積しておき、Ｗｅｂブラウザなどのクライアントソフトウェアの要求に応じて、インターネットなどのＩＰ網を通じて、これらの情報を送信する。
【００４３】
（各装置の内部構成）
次いで、無線通信設備設置支援システムを構成する各装置の内部構成について説明する。
（１）無線通信設備設置支援管理サーバー２及びデータベース群２ａの内部構成
次いで、無線通信設備設置支援管理サーバー２及びデータベース群２ａの内部構成について説明する。図２は、本実施形態に係る無線通信設備設置支援管理サーバー２及びデータベース群２ａの内部構成を示すブロック図である。図２に示すように、無線通信設備設置支援管理サーバー２は、通信インターフェース２１と、制御部２２とを備え、データベース群２ａには、端末データベース２３１と、設置条件データベース２３２と、申込者データベース２３３と、電波状況データベース２３４とを備えている。
【００４４】
端末データベース２３１は、端末を特定する識別子に関連付けて、その端末を所持する業者及び作業員に関する情報を記録するデータベースであり、調査業者の電話番号や、作業員が携帯電話番号及びメールアドレス等が記録されている。
【００４５】
設置条件データベース２３２は、フェムト基地局等の設置可否を決定するための条件が蓄積されたデータベースであり、地図上における座標情報と、各位置における設置条件とを関連付けて記憶する。この設置条件とは、調査希望位置における地理的条件（位置、高度を含む）、及び隣接又は近傍の既存のアンテナ基地局（マクロセルやホームアンテナ）や、増幅器（ホームリピータ）からの電波受信状況が含まれる。また、基地局の設置が制限されている場所（例えば、医療機関）の有無、及びブロードバンド回線の有無などの条件が蓄積されている。そして、この設置条件は、調査希望位置の環境に応じて、切り換えられるようになっており、例えば、調査希望位置における地理的条件、及び隣接する既存のアンテナ基地局（フェムト基地局又はマクロセル基地局）からの電波受信状況に応じて、フェムト基地局又はホームリピータを排他的に選択し、選択された通信設備に従って切り換えられるようになっている。具体的には、調査希望位置に隣接する既存のアンテナ基地局によって、屋外までは電波が届いているが、室内は電波受信状況が弱い場合には、フェムト基地局の設置に代えて、増幅器のみ設置可能と排他的に切り換える条件としている。
【００４６】
さらに、設置条件としては、アンテナ基地局の種別と、高度に関する条件とに応じて切り換えられるようになっている。具体的には、建物の階数が所定階数（例えば、５階）以上では、フェムト基地局の設置に代えて、ホームアンテナ又はホームリピータのみ設置可能とする条件としている。
【００４７】
申込者データベース２３３は、フェムト基地局の設置を申し込んだ申込者の情報を蓄積するデータベースであり、申込者固有の識別子に、申込者の住所、連絡先、年齢等の申込者情報と、ブロードバンド回線等の設置環境に関する情報が記録されている。また、申込者データベース２３３には、基地局設置の申し込みから、基地局設置完了までの状態を示すステータス情報が関連付けされており、無線通信設備設置支援管理サーバー２の運用者の操作や、無線通信設備設置支援用端末１から送信された調査結果に基づいて、例えば、申込情報を取得すると、「申込中」のステータスとなり、また、調査内容決定部２２２が調査日時を決定すると、「調査日時決定」のステータスとなる。また、無線通信設備設置支援用端末１から設置条件が満たされているか否かの判断結果を取得して蓄積すると、「調査済」、や「設置日時決定」のステータスとなり、設置済みの情報を取得して蓄積すると、「設置済」のステータスとなるようになっている。
【００４８】
電波状況データベース２３４は、行政が取り決めた市町村や丁・号などにより区画がなされている行政区画に基づいてエリアが設定された地図情報に、電波の受信状態の情報を含ませた地図データベースである。この電波状況データベース２３４における電波状況は、随時更新可能であり、調査結果のデータが受信されると、その位置の電波状況が更新される。この際、設置条件データベース２３２は、電波状況データベースに蓄積された、座標位置に基づく電波状況についても、位置情報に基づいて参照可能となっている。なお、これらの各データベースは、無線通信設備設置支援管理サーバー２の制御により、各情報が随時、変更可能であり、変更情報を記録する記憶手段として機能を備える。
【００４９】
無線通信設備設置支援管理サーバー２の通信インターフェース２１は、通信ネットワーク５を通じて、無線通信設備設置支援用端末１及び端末装置３との間でデータの送受信を行うインターフェースである。この通信インターフェース２１を通じて、例えば、端末装置３から、フェムト基地局の設置に関する申込情報が受信される。また、通信インターフェース２１を介して、無線通信設備設置支援用端末１に対して、調査申込に関する情報が送信され、無線通信設備設置支援用端末１から設置場所の調査結果等の調査結果のデータが受信される。
【００５０】
制御部２２は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより、種々の機能モジュールを仮想的に構築し、構築された各機能モジュールによって、各部の動作制御、ユーザー操作に対する種々の処理を行っている。本実施形態において、制御部２２は、申込受付部２２１と、調査内容決定部２２２と、設置条件変更部２２３と、データ送信部２２４と、端末データ受信部２２５と、調査状況更新部２２７と、電波状況更新部２２６とを備えている。
【００５１】
申込受付部２２１は、申込者から基地局設置の申し込みを受け付けるモジュールであり、例えば、無線通信設備設置支援管理サーバー２が配信するＷｅｂページ上からの申し込みを受け付けて、申込者識別子と関連付けて申込者データベース２３３内に蓄積する。この際、申込受付部２２１は、少なくとも、調査希望位置に関する情報であって、地図上における座標情報を含む申込情報の入力を受け付けるようになっている。なお、この際、申込受付部２２１は、申込者データベース２３３のデータのステータスを「予約受付中」として記録する。
【００５２】
調査内容決定部２２２は、入力受付部から入力された申込情報に基づいて、設置条件記憶部を参照し、申込情報に関する設置条件を決定するモジュールであり、設置条件と、申込情報とを無線通信設備設置支援用端末１に送信して電話状況の調査を申込む。
【００５３】
設置条件変更部２２３は、調査結果の情報に基づいて、フェムト基地局の設置可否に係る条件を変更するモジュールである。この設置条件変更部２２３が条件を変更する例としては、例えば、無線通信設備設置支援用端末１から修正された座標情報を取得すると、当該座標情報に基づいて、調査内容決定部２２２が決定した設置条件を変更する機能がある。また、設置条件変更部２２３は、無線通信設備設置支援用端末１から最終的な調査結果の情報を取得して、次回、周辺に他のフェムト基地局を設置する場合の設置条件を変更する機能も含まれる。具体的には、マンション等の所定階にフェムト基地局が設置された情報を取得すると、その前後の階においてフェムト基地局の設置を不可にするなどの変更があげられる。
【００５４】
データ送信部２２４は、各種のデータを送信するモジュールであり、例えば、端末装置３に申し込み用のＷｅｂページを配信したり、調査内容決定部２２２によって決定された調査申込データ（申込情報及び設置条件データ等を無線通信設備設置支援用端末１に送信したりする。さらに、データ送信部２２４は、設置条件変更部２２３において設置条件を変更した際には、変更された設置条件データを各無線通信設備設置支援用端末１に配信する。
【００５５】
端末データ受信部２２５は、各無線通信設備設置支援用端末１から調査結果のデータを受信するモジュールである。端末データ受信部２２５が受信した位置情報及び電波情報に関しては、電波状況データベース２３４に送信され、その他の情報は、調査状況更新部２２７に送信される。
【００５６】
電波状況更新部２２６は、無線通信設備設置支援用端末１から取得した位置情報（修正した座標位置情報）に基づいて、電波状況データベースの情報を変更するモジュールであり、具体的には、調査結果に含まれる電波状況に係る情報を、座標位置と関連付けて追加又は変更する。これにより、行政区画よりも詳細な電波の受信状況を記録することができる。
【００５７】
調査状況更新部２２７は、無線通信設備設置支援用端末１から受信した調査結果に基づいて、申込者データベース２３３の情報を変更するモジュールであり、申込時に未記入であった情報を追加するとともに、変更された情報を更新する。また、調査状況更新部２２７は、申込者データベース２３３のスタータスを変更する機能も有しており、ステータスが調査前であった属性を、「設置日時決定」、又は「設置完了」に変更する。なお、調査状況更新部２２７が調査状況を更新した際には、その情報が設置条件変更部２２３にも入力され、設置条件変更部２２３は、この情報に基づいて設置条件を変更する。
【００５８】
なお、データ送信部２２４によって、各種のデータを送信しているが、このデータの送信方式としては、ＨＴＴＰなどのプロトコルにより所定の情報データを送受信してもよいし、所定の文字列を記述した電子メールを送信してもよい。また、データベース群２ａに対する情報の更新等は、無線通信設備設置支援管理サーバー２に常駐する管理者が入力インターフェースなどの操作デバイスを操作することで更新するようにしてもよい。
【００５９】
（２）無線通信設備設置支援用端末の内部構成
次いで、無線通信設備設置支援用端末１について説明する。図３は、無線通信設備設置支援用端末１の内部構成を示すブロック図である。無線通信設備設置支援用端末１は、図３に示すように、ユーザーインターフェース系のモジュールとして入力インターフェース１２と、出力インターフェース１３とを備えている。入力インターフェース１２は、操作ボタンやタッチパネル、ジョグダイヤルなどユーザー操作を入力するデバイスである。出力インターフェース１３は、ディスプレイやスピーカーなど、映像や音響を出力するデバイスである。特に、この出力インターフェース１３には、液晶ディスプレイなどの表示部１３ａが含まれている。
【００６０】
また、無線通信設備設置支援用端末１は、通信系のモジュールとして無線インターフェース１１を備えている。無線インターフェース１１は、通話やデータ通信が可能な無線通信インターフェースであり、無線データ通信によるパケットデータの送受信を行うことができる。
【００６１】
また、無線通信設備設置支援用端末１は、メモリ１５と、位置情報取得部１７と、カメラ１８とを備えている。メモリ１５は、各種データを蓄積するための記憶装置であり、このメモリ１５には、無線通信設備設置支援管理サーバーから送信された申込情報及び調査内容決定部２２２が決定した設置条件が記録保持される。また、設置条件変更部２２３が変更した設置条件データについても記憶保持する。カメラ１８は、静止画、又は動画を撮影する撮像手段であり、本実施形態では、本人確認や住所確認のための書類等を撮影するようになっている。
【００６２】
位置情報取得部１７は、自機の現在位置を測定し、調査希望位置における位置情報を取得するモジュールであり、例えば、通信衛星からのＧＰＳ信号に基づいて、現在位置の座標を演算したり、無線基地局４の基地局識別子や、この基地局からの信号強度などの電波状況から、無線通信設備設置支援用端末１自身で自機の位置情報を取得することが可能となっている。また、この位置情報取得部１７には、周囲に設置されたアクセスポイントを検出し、通信ネットワーク上に設置されたＡＰデータベースに、そのアクセスポイントの住所を問い合わせて、自機の現在位置を予測する機能が備えられていてもよい。このＡＰデータベースは、多数の移動端末から通知されるアクセスポイントの所在地の報告を集計し、そのアクセスポイントの識別子（ＩＰアドレスなど）と、その設置場所（住所や座標など）とを関連付けて蓄積する。位置情報取得部１７は、検出されたアクセスポイントの識別子について、ＡＰデータベースを参照することにより、自機の現在位置を予測することができる。
【００６３】
さらに、無線通信設備設置支援用端末１は、アプリケーション実行系のモジュールとして、アプリケーション実行部１４を備えている。アプリケーション実行部１４は、一般のＯＳやブラウザソフト、メディア視聴アプリケーションなどのアプリケーションを実行するモジュールであり、通常はＣＰＵ等により実現される。
【００６４】
本実施形態において、基地局設置の無線通信設備設置支援用プログラムがインストールされると、アプリケーション実行部１４において無線通信設備設置支援ソフトウェアが実行可能となる。そして、このアプリケーション実行部１４は、ＵＩ制御部１４ａと、設置可否判断部１４ｂとを備えている。
【００６５】
ＵＩ制御部１４ａは、表示部１３ａ上に基地局設置の調査に関する各項目を表示するとともに、調査を行う作業員の入力を受け付けるユーザーインターフェースを制御するモジュールである。具体的に、無線通信設備設置支援ソフトウェアが実行されると、確認すべき設置環境に関する各項目を表示するとともに、調査希望位置における調査結果の入力を受け付け、位置情報と関連付けて調査結果の情報をメモリ１５内に蓄積する。
【００６６】
また、ＵＩ制御部１４ａは、位置情報取得部１７が取得した位置情報と、申込情報に含まれる座標情報とを比較する条件比較部としての機能も備えており、画面上に申込情報の座標情報と、取得した位置情報とを地図上に表示させ、座標位置の修正操作を受け付ける。座標位置の修正を受け付けると、その修正された座標情報を無線通信設備設置支援管理サーバー２へ送信し、変更した設置条件データを受信するようになっている。
【００６７】
設置可否判断部１４ｂは、作業員によって、設置可否判断の実行が操作された際、取得した調査結果に基づいて、メモリ１５が記憶保持する設置条件を参照し、設置条件が満たされているか否かの判断をするモジュールである。この設置可否判断部１４ｂでは、選択される各情報に基づいて、設置条件が満たされているか否かの判断結果を切り換えるようになっている。この設置可否判断部１４ｂにおける判断結果の切り換え機能としては、例えば、調査希望位置における地理的条件、及び隣接する既存のアンテナ基地局からの電波受信状況に応じて、フェムト基地局又はホームリピータを排他的に選択し、選択された通信設備に従って、設置条件が満たされているか否かの判断結果を切り換える。具体的には、調査希望位置に隣接する既存のアンテナ基地局によって、屋外までは電波が届いているが、室内は電波受信状況が弱い場合には、フェムト基地局の設置に代えて、増幅器のみ設置可能と判断し、選択された通信設備に従って、設置条件が満たされているか否かの判断結果を切り換える
【００６８】
また、例えば、設置可否判断部１４ｂは、アンテナ基地局の種別と、調査希望位置の高度に関する条件とに応じて、設置条件が満たされているか否かの判断結果を切り換えるようになっている。具体的には、建物の階数が所定階数（例えば、５階）以上では、フェムト基地局の設置不可とし、ホームアンテナのみ設置可能と判断する。さらに、設置可否判断部１４ｂは、設置可能と判断された際には、即日設置か否かを判断する機能も備えており、所定のブロードバンド回線及び通信事業者による提供であって、必要書類が入力済みの場合には、即日設置可能と判断するようになっている。
【００６９】
利用情報送信部１６は、無線基地局４と無線通信を介して接続し、入力された設置環境の各情報を調査結果として、無線通信設備設置支援管理サーバー２へ送信するモジュールであり、この際、利用情報送信部１６は、位置情報取得部１７が取得した位置情報と調査結果とを関連付けて送信する。なお、この際、自機を特定するための識別子（電話番号や、ＩＰアドレス、ＩＤ）を接続対象となる無線基地局４に送信し、認証を行うようになっている。なお、本実施形態においては、取得した位置情報と、申込情報に含まれる座標情報とを無線通信設備設置支援用端末１で比較し、その比較結果を無線通信設備設置支援管理サーバー２へ送信することで、設置条件データを変更したが、例えば、無線通信設備設置支援用端末１のメモリ１５内に設置条件データベース２３２の情報を記憶させて、無線通信設備設置支援用端末１において、設置条件を変更する構成であってもよい。
【００７０】
（調査方法）
以上の構成を有する無線通信設備設置支援システムを動作させることで、本発明の調査方法を実施することができる。図４は、本実施形態に係る調査方法の概要を示すフローチャート図であり、図５は、本実施形態に係る設置環境の調査処理を示すフローチャート図である。なお、ここでは、予め、設置条件データベース２３２内において、地図上における座標情報と、各位置における設置条件とを関連付けて記憶しているものとする。
【００７１】
（１）調査方法の概要について
図４に示すように、先ず、申込者が端末装置３を用いて、フェムト基地局の設置に対する申込情報を入力すると（Ｓ１０１）、その情報が無線通信設備設置支援管理サーバー２に送信される（Ｓ１０２）。この情報は、調査希望位置に関する情報であって、地図上における座標情報を含まれている。
【００７２】
無線通信設備設置支援管理サーバー２では、この申込情報を受け付けると（Ｓ１０３）、申込受付部２２１は、申込者データベース２３３に申込者を特定する識別子と関連付けて申込情報を蓄積する（Ｓ１０４）。その後、調査内容決定部２２２は、この申込情報から調査日や派遣する業者を決定するとともに、設置条件を参照し、当該申込情報に関する設置条件を決定し、これらの情報を端末装置３に対して送信する（Ｓ１０５）。端末装置３では、調査日時等の情報を取得して画面上に表示する（Ｓ１０６）。また、調査内容決定部２２２は、所定の業者の無線通信設備設置支援用端末１に対して、調査申込のデータを送信する（Ｓ１０７）。この際、申し込みされた申込者名、住所等の申込者情報も併せて送信する。
【００７３】
無線通信設備設置支援用端末１は、調査申込データを受信してメモリ１５内に蓄積する（Ｓ１０８）、その後、作業員は、調査日時に調査場所に訪問する。この際、無線通信設備設置支援ソフトウェアが実行されると、ＵＩ制御部１４ａは、訪問すべき申込者の住所等の情報が画面上に表示する（Ｓ１０９）。
【００７４】
その後、無線通信設備設置支援用端末１を所有する作業員が訪問先に到着し（Ｓ１１０）、作業員が無線通信設備設置支援用端末１を現地到着のための操作を行うと、ＵＩ制御部１４ａは、図６に示すような、現地到着画面を表示させ、電波が届くエリア内で位置情報を取得する操作を受け付ける（Ｓ１１１）。
【００７５】
具体的には、現地到着画面上に表示された位置情報取得アイコン３０３がタップされると、図７（ａ）に示すように、画面上にマップを表示させるとともに、申込時に入力された住所上にカーソル３０４が表示される。この際、作業員は、実際に調査を行う場所が当該カーソル上か否かを判断して、当該カーソル上でない場合には、そのカーソルを正確な場所にドラッグする。ＵＩ制御部１４ａは、ドラッグ操作に応じて、カーソル３０４を移動させる。この際、位置情報取得部１７は、移動されたカーソルの緯度経度を算出し、画面上に緯度経度情報３０５を表示させる。その後、作業員が決定アイコン３０６を押すと、当該カーソル位置を調査場所と決定され、その緯度及び経度の情報が入力される（Ｓ１１２）。なお、本実施形態では、図７（ｂ）に示すように、画面上のマップを拡大可能であり、正確な位置情報の確認や修正を行うことができるようになっている。
【００７６】
ＵＩ制御部１４ａは、位置情報取得部１７が取得した位置情報と、申込情報に含まれる座標情報とを比較して、位置に修正があったか否かを判断する。ここで、位置情報と座標情報とが一致して修正がない場合には、設置条件を変更することなく待機する。その後、作業員は、電波が届かない場所となる調査場所へ移動する（Ｓ１１３）。
【００７７】
一方、位置情報と座標情報とが相違し、作業員が修正した場合には、修正した位置情報を無線通信設備設置支援管理サーバー２へ送信する。無線通信設備設置支援管理サーバー２の設置条件変更部２２３は、修正された位置情報を取得すると、設置条件データベース２３２を参照して、設置条件を変更し、変更された設置条件のデータを無線通信設備設置支援用端末１へ送信する。
【００７８】
無線通信設備設置支援用端末１は、変更された設置条件をメモリ１５内に蓄積する。その後、作業員は、電波が届かない場所となる調査場所へ移動する（Ｓ１１３）。作業員は、調査現場において、電波状況の確認など、設置環境の調査、及び設備設置を行い、調査希望位置における調査、設置業務等の結果を入力する（Ｓ１１４）。その後、作業員が調査を終了して電波の届く場所に移動すると（Ｓ１１５）、利用情報送信部１６は、位置情報と、取得した各調査結果とを関連付けて、自動で無線通信設備設置支援管理サーバー２へ送信する（Ｓ１１６）。
【００７９】
端末データ受信部２２５は、調査結果のデータを受信すると（Ｓ１１７）、各データベースの情報を更新する。具体的に、位置情報や電波状況情報が電波状況更新部２２６に送信されると、電波状況データベース２３４内のマップ上で電波状況の情報が更新される。一方、電波状況以外の設置環境や、追加、又は変更された申込情報は、調査状況更新部２２７の制御により、位置情報とともに申込者データベース２３３に追加、更新される。その後、設置条件変更部２２３は、更新された申込者データベース２３３の情報に基づいて、設置条件を変更し、データ送信部２２４を介して各無線通信設備設置支援用端末１へ送信する。
【００８０】
（２）調査希望位置における調査・設置業務の支援処理について
次いで、図４に示したフローチャート図のステップＳ１１４における調査・設置業務の支援処理について詳述する。なお、本実施形態における調査手順は、一例であり、これに限定するものではない。したがって、調査内容の順序を入れ替えたり、他の調査内容を含ませたりなど、適宜変更可能である。
【００８１】
先ず、作業員が調査希望位置に到着すると、無線通信設備設置支援用端末１を操作して無線通信設備設置支援用アプリケーションを起動して、本人確認のための操作を行うと、ＵＩ制御部１４ａは、画面上に申込者情報確認画面を表示させる（Ｓ２０１）。この申込者情報確認画面は、申込時に入力された、申込者の氏名や住所等が表示されるとともに、本人確認及び住所確認を行うための項目が表示される。
【００８２】
具体的に、本人確認、及び住所確認のための画面は、図８（ａ）に示すように、確認用書類を選択するためのプルダウンメニュー３０７を表示させるとともに、カメラ起動アイコン３０８を表示させる。画面上のカメラ起動アイコン３０８をタッチするとカメラ１８が起動される。カメラ１８が起動されると、作業員は、確認用書類をフレーム内に収めるように撮影する。撮影された画像データは、メモリ１５内に記憶されるとともに、図８（ｂ）に示すように画面上に表示される。
【００８３】
この際、画面上には画像データの他、申込時に入力された住所等の情報３０９が表示されるようになっており、画面上で確認作業が行われるようになっており、電波改善希望住所と、住所確認書類の住所表記が一致しているか否かを確認するようになっている（Ｓ２０２）。作業員は、画像データの表記と申込情報に記載された情報を確認した後、一致している場合には、決定ボタンを押下する。
【００８４】
なお、画面上には、「内容登録／修正」アイコン３１０が併せて表示させ、画像データの表記と申込情報に記載された情報が一致しない、又は不足している場合には、作業員の操作に応じて、図９に示すような「内容登録・修正画面」を表示させて、申込情報の修正を受け付ける。この際、画面上には、「電波改善希望場所種別」についてのプルダウンメニュー３１１を表示させて建物情報を入力させるようになっている（Ｓ２０３）。この「電波改善希望場所種別」としては、自宅、又はオフィス・店舗のいずれかを選択させるようになっている。また、ＵＩ制御部１４ａは、「電波改善希望場所階数」のテキストボックス３１２を表示させて、希望場所の階数情報を入力させるようになっている（Ｓ２０４）。
【００８５】
建物情報及び階数情報が入力されると、ＵＩ制御部１４ａは、その他の設置環境に関する入力画面を表示させる（Ｓ２０５）。例えば、建物情報としてオフィス・店舗が選択された場合には、図１０に示すように、電波改善希望場所の改善希望範囲が所定範囲内か否かを選択させるラジオボタン３１３ａを表示させる。この所定範囲内とは、フェムト基地局によって提供される通信エリアであり、本実施形態においては、半径１５ｍを基準としている。したがって、半径約１５ｍ以内である「局所」のラジオボタンと、半径約１５ｍ以上である「広範囲」のラジオボタンを表示させる。
【００８６】
また、ＵＩ制御部１４ａは、電波改善希望場所の最大利用予定数が所定範囲内か否かを選択させるラジオボタン３１３ｂを表示させる。この最大利用予定数とは、最大人数利用時に通信保証できる人数を定めたものであり、本実施形態においては、「２０人以下」及び「２１人以上」のラジオボタンを表示させている。
【００８７】
さらに、画面上には、図１０に示すように、フェムト基地局が設置された場合でも制限付きとなる旨を申込者から承諾を得たか否かを選択するラジオボタンが表示させている。このラジオボタンは、「局所」のラジオボタン、又は「広範囲」のラジオボタンが選択された場合に有効となり、承諾を得たか否かを選択させるようになっている。
【００８８】
また、図示していないが、ＵＩ制御部１４ａは、その他の設置環境に関する画面として、電波改善希望場所のブロードバンド回線を確認するための画面を表示させ、通信回線の種別や回線事業者などの情報を選択させるようになっている。また、設置希望場所が、病院等の医療機関や、ガソリンスタンド等の危険物取扱店等などの設置規制場所でないことを確認するための画面を表示させ、各情報の入力を促すようになっている。
【００８９】
そして、最後に、ＵＩ制御部１４ａは、図１１に示すように、電波測定画面を表示させて、電波測定値の入力を受け付ける（Ｓ２０６）。本実施形態では、屋内の電波状況を入力させる項目３１５と、屋外の電波状況を入力させる項目３１６とが表示される。ここでは、測定場所を入力するテキストボックス３１７と、電波の受信レベルを示す電界強度（ｄＢｍ）の数値を入力するテキストボックス３１８と、電波のノイズレベルを示すＥｃ／  Ｎｏの数値を入力するテキストボックス３１９と、受信電波を発車している基地局の識別コードＳＣを入力するテキストボックス３２０とが表示され、作業員が電波測定装置を用いて測定した数値の入力を受け付ける。なお、測定場所については、別画面で表示されたプルダウンメニュー３２１から選択可能となっている。
【００９０】
電波測定値の入力が終了すると、設置可否判断部１４ｂは、取得した調査結果に基づいて、メモリ１５内に記憶保持する設置条件、又は条件変更部が変更した設置条件を参照し、設置条件が満たされているか否かの判断をし、特定エリアＡ２に基地局が設置可能か否かを判断する（Ｓ２０７）。この際、この設置可否判断部１４ｂは、選択される各情報に基づいて、設置条件が満たされているか否かの判断結果を切り換えるようになっている。例えば、設置可否判断部１４ｂは、調査希望位置における地理的条件、及び隣接する既存のアンテナ基地局からの電波受信状況に応じて、フェムト基地局又はホームリピータを排他的に選択し、選択された通信設備に従って、設置条件が満たされているか否かの判断結果を切り換える。また、例えば、設置可否判断部１４ｂは、アンテナ基地局の種別と、調査希望位置の高度に関する条件とに応じて、設置条件が満たされているか否かの判断結果を切り換えるようになっている。
【００９１】
設置不可なエリアであると判断された場合には（Ｓ２０７における“Ｎ”）、図１２に示すように、設置不可である項目３２２と、条件に一致しなかった理由項目３２３を表示させて、申込者に対して設置不可である旨を説明し、画面上に表示された署名スペース３２４に申込者の署名の入力を受け付けて調査業務を終了する。
【００９２】
一方、設置不可なエリアであると判断された場合には（Ｓ２０７における“Ｙ”）、フェムト基地局設置のための申込内容確認画面が表示され、作業員は、各項目に申込情報を確認しつつ、申込情報の追加又は変更を行う（Ｓ２０８）。その後、申込内容情報の入力が終了すると、設置可否判断部１４ｂは、入力されたブロード環境に関する情報及び申込情報と、メモリ１５内に記憶された設置条件データとを比較して、即日設置可能か否かを判断する（Ｓ２０９）。
【００９３】
申込情報が全て入力され、所定のブロードバンド環境である場合には（Ｓ２０９における“Ｙ”）、即日設置可能の旨を表示させ、申込者の了承を得たのちに、設置工事を実行する（Ｓ２１１）。この際、ＵＩ制御部１４ａは、図１３（ａ）に示すように、フェムト基地局のシリアルナンバーを読み取らせる画面が表示され、カメラ１８がシリアルナンバーを読み取ると、自動でシリアルナンバーが入力される。また、ＵＩ制御部１４ａは、図１３（ｂ）に示すように、機器構成図を入力するための画面を表示させ、作業員の入力を受け付ける。
【００９４】
一方、申込情報の一部が確認できず未入力であったり、所定のブロードバンド環境でなかったりする場合には（Ｓ２０９における“Ｎ”）、即日設置不可の理由を画面上に表示させ（Ｓ２１０）、作業員は後日設置となる旨を説明して、調査を終了する。
【００９５】
（無線通信設備設置支援プログラム）
なお、上述した無線通信設備設置支援用端末装置は、本実施形態に係る無線通信設備設置支援プログラムを、モバイルコンピューターやスマートフォン、タブレットＰＣ等の汎用コンピューター上で実行することにより実現することができる。
【００９６】
具体的には、前記無線通信設備設置支援用端末に、
（１）地図上における座標情報と、各位置における前記設置条件とを関連付けて記憶する設置条件記憶ステップと、
（２）調査希望位置に関する情報であって、前記地図上における座標情報を含む申込情報を取得する申込情報取得ステップと、
（３）前記申込情報取得ステップで取得された前記申込情報に基づいて、前記設置条件を参照し、当該申込情報に関する設置条件を決定する調査内容決定ステップと、
（４）前記調査希望位置における位置情報を取得する位置情報取得ステップと、
（５）前記位置情報取得ステップで取得した位置情報と、前記申込情報に含まれる座標情報とを比較する条件比較ステップと、
（６）前記条件比較ステップによる比較結果に基づいて、前記調査内容決定ステップにおいて決定した前記設置条件を変更する条件変更ステップと、
（７）前記調査内容決定ステップで決定した前記設置条件、又は前記条件変更ステップで変更した設置条件を記憶保持する設置条件記憶ステップと、
（８）  前記調査希望位置における調査結果の入力を受け付ける調査結果取得ステップと、
（９）  前記調査結果取得ステップで取得した調査結果に基づいて、前記設置条件記憶部が記憶保持する設置条件を参照し、設置条件が満たされているか否かの判断をする判断ステップと
を有する処理を実行させる。
【００９７】
なお、本実施形態では、前記条件比較ステップの比較結果に基づいて、前記位置情報取得ステップで取得した前記位置情報と、前記調査結果取得ステップで取得した調査結果とを関連付けて、記憶保持する変更情報記憶ステップをさらに有することが好ましい。
【００９８】
また、本実施形態において前記通信設備は、電波信号の送受信を行うアンテナ基地局であり、前記調査には、調査希望位置における電波状況が含まれ、前記設置条件には、当該調査希望位置における地理的条件、及び隣接する既存のアンテナ基地局からの電波受信状況が含まれることが好ましい。
【００９９】
さらに、本実施形態において、通信設備には、電波信号の送受信を行うアンテナ基地局、又は電波信号の強度を増幅させる増幅器が含まれ、判断ステップにおいて、設置条件は、調査希望位置における地理的条件、及び隣接する既存のアンテナ基地局からの電波受信状況に応じて、アンテナ基地局又は増幅器を排他的に選択し、選択された通信設備に従って切り換えられることが好ましい。
【０１００】
また、本実施形態において、通信設備は、電波信号の送受信を行うアンテナ基地局であり、調査には、調査希望位置における電波状況が含まれ、設置条件には、当該調査希望位置における高度に関する条件が含まれ、判断ステップでは、前記アンテナ基地局の種別と、前記高度に関する条件とに応じて切り換えられることが好ましい。
【０１０１】
上記本実施形態の無線通信設備設置支援プログラムを、ユーザー端末やＷｅｂサーバー等のコンピューターやＩＣチップにインストールし、ＣＰＵ上で実行することにより、上述した効果を奏する無線通信設備設置支援システムや無線通信設備設置支援用端末装置を容易に構築することができる。このプログラムは、例えば、通信回線を通じて配布することが可能であり、またスタンドアローンの計算機上で動作するパッケージアプリケーションとして譲渡することができる。
【０１０２】
そして、このような本実施形態の無線通信設備設置支援プログラムは、モバイルコンピューターやスマートフォン、タブレットＰＣ等の汎用コンピューターで読み取り可能な記録媒体に記録することができ、このプログラムを記録したコンピューター読み取り可能な記録媒体によれば、汎用のコンピューターや専用コンピューターを用いて、上述した無線通信設備設置支援システムや無線通信設備設置支援方法を実施することが可能となるとともに、プログラムの保存、運搬及びインストールを容易に行うことができる。
【０１０３】
（作用・効果）
以上説明した本実施形態によれば、通信ネットワーク５上に無線通信設備設置支援管理サーバー２を設置するとともに、データベースに設置条件を記憶しておき、調査希望位置における調査結果の入力を受け付けることで、通信ネットワーク５を通じて、通信機器の設置に必要な事前情報を取得することができる。
【０１０４】
そして、携帯可能な無線通信設備設置支援用端末１を用いることで、現地において、調査結果に基づいて、設置条件を参照し、設置条件が満たされているか否かの判断し設置するための作業を支援することから、設置可否の判断を、調査現場にて即時に行うことができ、必要な設置工事を即座に開始することができる。これにより、調査業務及び設置業務の効率を向上させることができる。
【０１０５】
また、本実施形態において、無線通信設備設置支援用端末１は、調査希望位置における地理的条件、及び隣接する既存のアンテナ基地局からの電波受信状況に応じて、アンテナ基地局又は増幅器を排他的に選択し、選択された通信設備に従って、設置条件が満たされているか否かの判断結果を切り換える機能を備えるので、例えば、調査希望位置に隣接する既存のアンテナ基地局によって、屋外までは電波が届いているが、室内は電波受信状況が弱い場合には、フェムト基地局の設置に代えて、増幅器のみ設置可能と排他的に切り換えることができる。これにより、小型リピータとフェムト基地局の重複設置を未然に防ぎ、良好な通信環境を提供することができる。
【０１０６】
また、本実施形態において、無線通信設備設置支援用端末１は、アンテナ基地局の種別と、高度に関する条件とに応じて、設置条件が満たされているか否かの判断結果を切り換える機能を備えるので、調査希望位置の高度によって変化するアンテナ基地局の通信エリアについても考慮して、設置可否を現場にて即時に判断できるため、設置調査及び設置作業の効率を向上させることができる。
【０１０７】
特に、本実施形態によれば、先ず、申込情報に基づいて、設置条件を参照し、当該申込情報に関する設置条件を決定する。そして、調査現場に着いた際に、位置情報を取得し、位置情報と申込情報に含まれる座標情報とを比較し、比較結果に基づいて、決定した設置条件を変更するようになっている。これにより、例えば、申込された住所の位置と、地図上の座標位置とに相違が生じていても、即座に設置条件を変更することができるので、そのまま、設置調査、設置工事を続行することができ、設置作業業務の効率を向上させるとともに、基地局を設置するためのコストを低減させることができる。
【０１０８】
さらに本実施形態によれば、設置作業の際に、申込者による本申込も可能とする機能も有して、１回の現場での設置作業にて利用可能とし申込手続きも完了させることができる。すなわち、無線通信設備の設置の可否及び選択の判定のみならず、設置工事に伴う設置登録、申込者の本申込に対する電子署名機能など、利用可能とするまでの作業・手続きを行う機能も合わせて有している。一回の現地作業にて、現地の環境等の状況に応じた最適な無線設備の選択を可能とし、小型リピータとフェムト基地局の重複設置を未然に防ぎ、万が一、所定の設置条件を全て満たさない申込者であった場合には利用ができない機器を不用意に設置してしまうことも防ぐことができる。加えて、設置登録から利用可能とするまでの作業及び手続きを現場にてできるため、申込者を無駄に待たせすることをなくして満足度を向上させ、無線設備の申込から利用までの期間を短縮でき、作業効率を向上させる点でも効果がある。
【０１０９】
なお、設置場所、設置時期、設置機器、申込者情報は、一元的にネットワーク側のデータベースに記録され、他のマクロセル情報等と併せて管理される。特に設置位置情報の正確性や精度の高さを維持することは、電波干渉を防ぐため、技術的な面においても、電波監理制度遵守の面においても大変重要なことである。また、前記設置位置情報は、電波状況の改善するための基礎データとして活用ができる。加えて新たなマクロセルの開通、新たな周波数帯での開通により電波状況が改善した場合に、前記無線基地局の撤去計画の立案、撤去後における状況変化の把握や、電波伝搬シミュレーション等による机上検討のための基礎データとしても加えていられるため、重要な情報である。
【０１１０】
以上のように、本実施形態によれば、基地局等の通信設備の設置に際し、設置希望場所における現地調査や条件の検討を機動的に且つ迅速に実施することができるとともに、基地局設置に関する情報を一元化して、調査業務、設置工事の効率を向上させ、基地局を設置するためのコストを低減し、設置スピードを高めることができる。
【符号の説明】
【０１１１】
Ａ１…マクロセル
Ａ２…特定エリア
１…無線通信設備設置支援用端末
２…無線通信設備設置支援管理サーバー
２ａ…データベース群
３…端末装置
４…無線基地局
５…通信ネットワーク
１１…無線インターフェース
１２…入力インターフェース
１３…出力インターフェース
１３ａ…表示部
１４…アプリケーション実行部
１４ａ…ＵＩ制御部
１４ｂ…設置可否判断部
１５…メモリ
１６…利用情報送信部
１７…位置情報取得部
１８…カメラ
２１…通信インターフェース
２２…制御部
２２１…申込受付部
２２２…調査内容決定部
２２３…設置条件変更部
２２４…データ送信部
２２５…端末データ受信部
２２６…電波状況更新部
２２７…調査状況更新部
２３１…端末データベース
２３２…設置条件データベース
２３３…申込者データベース
２３４…電波状況データベース
【要約】
【課題】フェムト基地局又はホームリピータ等の無線通信設備の設置からユーザー登録までを、１回の現地訪問で完了させるための無線設備設置支援システム
【解決手段】現地にて設置環境の調査を行った後に、携帯端末等を介して申込者からの提供情報に誤りがないか照合し、必要に応じて設置場所等のユーザー情報を修正し、設置条件に基づき当該設備の設置可否、当該設備種別の選択を行い、設置後のユーザー登録までの一連の業務支援を実行する。
【選択図】  図１【図１】
0005473091.tif 000002
【図２】
0005473091.tif 000003
【図３】
0005473091.tif 000004
【図４】
0005473091.tif 000005
【図５】
0005473091.tif 000006
【図６】
0005473091.tif 000007
【図７】
0005473091.tif 000008
【図８】
0005473091.tif 000009
【図９】
0005473091.tif 000010
【図１０】
0005473091.tif 000011
【図１１】
0005473091.tif 000012
【図１２】
0005473091.tif 000013
【図１３】
0005473091.tif 000014